(57)【特許請求の範囲】
【請求項１】
集穀部を構成する台箱状の下箱の上に、乾燥部を構成する中箱を重ねて接続し、その上に穀粒の貯留部を形成する上箱を重ねて接続して機体を組立て、その機体の前面に昇降機を立設して、それの底部を下箱に設けた下部コンベアに接続し、頂部を上箱に設けた上部コンベアに接続し、機体の前面側に各作動部の作動を制御するコントローラを装架し、機体の上箱の前面側の機壁に、そこに張込んだ穀物のレベルを目視により確認する覗き窓を、上下に並列させて設けた穀粒乾燥機において、上箱の天板に取付台を設け、それに、前記覗き窓の内側に対し、上箱内から光線を投射する投光器を装設したことを特徴とする穀粒乾燥機。
【請求項２】
投光器を取付台に対し装脱自在に取付け、投光器を機体内に入った作業員が点検時に機体内に持ち込めるようにしたことを特徴とする請求項１記載の穀粒乾燥機。
【発明の詳細な説明】
【０００１】
【発明が属する技術分野】
本発明は、竪型の箱状乃至塔状に形成した機体の内腔の貯留部に、乾燥すべき穀粒を張込み、その穀粒を機体の前面に立設せる昇降機と機体内に設けた穀粒搬送機により、機体内の下部に設けた乾燥部を流過して機体内の上部に戻すよう循環させ、乾燥部を流過する穀粒に対しバーナー装置により生成した熱風を送給して乾燥させる穀粒乾燥機で、張込んだ穀粒を機体の上箱に貯留する穀粒乾燥機についての改良に関する。
【０００２】
【従来の技術】
上述の形態の穀粒乾燥機は、通常、図１に示しているように、周縁に折曲壁ａを形成した鉄板よりなるパネルｂ…を、それの折曲壁ａの重合連結により、四角な台箱状の下箱１を組立て、それの内腔に、図２・図３にあるよう集穀樋１０・１０と下部コンベア１１を組付けて、この下箱１により集穀部を構成する。
【０００３】
次に、周縁に折曲壁ａを具備せしめた鉄板よりなるパネルｂ…により囲い枠状の中箱２を組立てながらそれを下箱１の上に重ねて接続連結し、それの内腔に、図２・図３にあるように、通気性の隔壁２０…を前後のパネルｂ・ｂ間に渡架するように設けて、この隔壁２０…により、熱風の導風路２１と穀粒の流下路２２・２２と排風路２３・２３とが、区画されて並列するように形成し、それの熱風の導風路２１を中箱２の前面側に装架したバーナー装置からなる熱風生成装置２４の吐出口と連通し、排風路２３を中箱２の後面側に装架する排風機２５に連通して、この中箱２を乾燥部に構成する。
【０００４】
次いで、前述の鉄板よりなるパネルｂ…の連結により、四角な囲い枠状の単位上箱３ａを組立てながら上述の中箱２の上に接続連結し、かつ、この囲い枠状の単位上箱３ａを順次多段に重ねるように連結し最上位の単位上箱３ａの上面に天板３０を組付け、さらに、穀粒張込用の上部コンベア３１を組付けて、穀粒の貯留部となる上箱３を組立て、この上箱３と前述の乾燥部となる中箱２と集穀部となる下箱１とで機体ｗを構成する。
【０００５】
次いで、この機体ｗの前面側に、昇降機４を立設して、それの底部を下箱１に装架した下部コンベア１１の終端側と接続連通し、頂部に設けた放出筒部４０を、上箱３に装架した上部コンベア３１に対し取出樋４１と切り換え自在に接続連通して、穀粒乾燥機Ａを構成するようにしている。
【０００６】
そして、機体ｗの前面側には、上部コンベア３１・下部コンベア１１・昇降機４・熱風生成装置２４等の各作動部の作動を制御する制御盤（コントローラ）５が装設され、また、貯留部となる上箱３の前面側の機壁には、貯留部に張込んだ穀物量を目視により確認するための、覗き窓６…が、上下に整列して一連に装設される。
【０００７】
【発明が解決しようとする課題】
上述の穀粒乾燥機Ａは、コントローラ５に設けた各種スイッチ５０…の操作により機体ｗ内の貯留部に穀粒を張込み、その作業が終えたところで、張込んだ穀物量を覗き窓６…を介して目視により確認し、その穀物量をコントローラ５に設けてある穀物量設定ダイヤルの操作によりコントローラ５に設定し、その設定した穀物量に対応する乾燥条件をコントローラ５に設定して、乾燥作動を行わすように使用されるが、覗き窓６…を介して目視により行なう張込量の確認が見づらく、そのため、誤った乾燥条件を設定してしまう問題がある。
【０００８】
穀粒乾燥機Ａは、通常、納屋等に設置され、その納屋が薄暗いことと、張込量が多いときに、上下に並列する覗き窓６…のうちの上方の覗き窓６を見上げて、そこに現れている穀粒のレベルを見出すことから、日差しのある日中においても、この覗き窓６…を介して行なう張込量の目視による確認の際に誤認が無いようにすることはむづかしい。
【０００９】
また、穀粒乾燥機Ａは、安全の確保のため、機体内の各作動部の点検・補修を随時行なうが、機体の内部は機壁で囲われていることで、覗き窓６…から覗いても、暗くて判らず、機体ｗの天井に設けておく点検口から作業員が機体ｗ内に入って、点検を行わなければならず、この点検作業が面倒な問題がある。
【００１０】
本発明は、従前の穀粒乾燥機に生じている上述の問題を解消するためになされたものであって、貯留部に対する穀粒の張込作業を終えて、所定の乾燥条件を設定して乾燥作業を開始する際に行なう、覗き窓を介しての目視による張込量の確認が、誤認の無い状態で適確に行え、また、安全のための機体内の点検が覗き窓を介して簡単に行えるようにする新たな手段を提供することを目的とする。
【００１１】
【課題を解決するための手段】
そして、本発明においては、上述の目的を達成するための手段として、集穀部を構成する台箱状の下箱の上に、乾燥部を構成する中箱を重ねて接続し、その上に穀粒の貯留部を形成する上箱を重ねて接続して機体を組立て、その機体の前面に昇降機を立設して、それの底部を下箱に設けた下部コンベアに接続し、頂部を上箱に設けた上部コンベアに接続し、機体の前面側に各作動部の作動を制御するコントローラを装架し、機体の上箱の前面側の機壁に、そこに張込んだ穀物のレベルを目視により確認する覗き窓を、上下に並列させて設けた穀粒乾燥機において、上箱の天板に取付台を設け、それに、前記覗き窓の内側に対し、上箱内から光線を投射する投光器を装設したことを特徴とする穀粒乾燥機を提起するものである。
【００１２】
【発明の実施の形態】
本発明手段においては、集穀部を構成する台箱状の下箱の上に、乾燥部を構成する中箱を重ねて接続し、その上に穀粒の貯留部を形成する上箱を重ねて接続して機体を組立て、その機体の前面に昇降機を立設して、それの底部を下箱に装架せる下部コンベアの終端側に連通し、その昇降機の頂部を上箱に装架せる上部コンベアの始端側と取出樋とに切り換え自在に接続し、機体の前面側に、各作動部の作動を制御するコントローラを装架して穀粒乾燥機を構成することについては、従前の穀粒乾燥機と同様に構成してよい。
【００１３】
そして、この穀粒乾燥機の乾燥すべき穀粒を張込む貯留部を形成する機体の上箱の前面側の機壁に、コントローラの制御により作動部を作動させて張込んだ穀物の量を目視により確認するための覗き窓を、上下に一連に並列させて装設することについても、従前の穀粒乾燥機の機体の上箱と同様に構成してよい。
【００１４】
支架し、この上箱の天板には、なるべく、前述の上下に並列する覗き窓の内側で上方に位置する部位の前方に寄る個所に、投光器の取付台を設けて、これに、前述の覗き窓に対し上箱内の内側から照明光を投射する投光器を装設しておいて、貯留部となる上箱内に穀粒を張込んだときに、この投光器を点灯することで、上下に並列する覗き窓のうちの、張込んだ穀粒のレベルより下方に位置する覗き窓は投光器から照射される投光が穀粒で遮断され、穀粒のレベルより上方に位置する覗き窓だけから、投光器からの投光が上箱の前面側に洩出してくるようにして、この投光器の投光が洩れ出してくる覗き窓により貯留部の張込容量に対する張込量を逆算してそれの確認が行えるようにし、また、機体内への穀粒の張込みがないときには、投光器の投光により、機体内の点検が覗き窓を介し簡単に行えるようにする。
【００１５】
このとき、投光器により覗き窓の内側からその覗き窓に対して行なう投光は、短い距離をダイレクトに行われるようにすることが有効で、そのため、上箱の天板に設ける取付台が、上箱の天板の左右の中間部位に装架される上部コンベアの制約から、その上部コンベアから側方に外した位置に設けなければならないときにあっては、上箱の前面側の機壁に開設する覗き窓の開設位置をこの上箱の天板に設ける取付台の位置に合わせて、設定するようにする。
【００１６】
また、投光器は、取付台に対して装脱自在に取付け、上箱の天板に設ける点検口から作業員が機体内に入って、各部の点検・補修を行うときに、その作業用の投光器として用いられるようにする。
【００１７】
【実施例】
次に実施例を図面に従い詳述する。なお、図面符号は従前手段のものと同効の構成部材については同一の符号を用いるものとする。
【００１８】
図４は本発明手段を実施せる穀粒乾燥機Ａの全体の斜視図で、同図において、ｗは機体、４はその機体ｗの前面に立設せる昇降機、５はその機体ｗの前面に装架したコントローラを示す。
【００１９】
１は機体ｗの集穀部を構成する台箱状に形成した下箱で、内部には集穀樋（図示省略）と下部コンベア１１とが装架してある。
【００２０】
２は囲い枠状に形成して前述の下箱１の上に接続した乾燥部を構成する中箱で、内部には、通気性の隔壁で区画されて並列する熱風の導風路と穀粒の流下路と排風路とが設けてあり、前面側には前述の熱風の導風路に送給する熱風を生成する熱風生成装置２４が装架してあり、後面側には前述の排風路から排風を引き出す排風機２５が装架してある。
【００２１】
３は、乾燥部を構成する前述の中箱２の上に重ねて接続した穀粒の貯留部となる上箱で、四角な囲い枠状に組立てた単位上箱３ａ…を多段に重ねて接続することで構成してあり、それの最上位の単位上箱３ａの上面には、天板３０が設けられ、その天板３０の左右の中央部には、上部コンベア３１が装架され、それの搬送方向は、機体ｗの前面に立設せる前述の昇降機４の頂部に設けた放出筒部４０を介し、そこに設けた取出樋４１と切り換え自在に昇降機４に対し接続させてある。
【００２２】
６…は、機体ｗの上半側を構成する上記上箱３の前面側の機壁に開設した覗き窓で、機体ｗの前面側に立設せる昇降機４に対し反対側となる図４において左方に寄せた部位において、多段に重ねた各単位上箱３ａの各前壁に、上下に長い長穴状に開設することで、上下に整列する状態として開設してある。
【００２３】
７は上箱３の天板３０に設けた投光器８の取付台で、正面視において前述の覗き窓６…の上方に位置するように、天板３０の左右の中央部に設けられる上部コンベア３１から側方に外した位置で、機体ｗの前方に寄せた部位に装設してある。
【００２４】
８はこの取付台７に取り付けた投光器で、取付台７に開設した窓穴７０の上に、内面側を反射鏡に形成したフード８０を取付け、それに電球８１を装着することで構成してあり、その電球８１の通電による発光が、フード８０内面の反射鏡により上下に並列する覗き窓６…の内側に図６にあるよう直射されていくようにしてある。
【００２５】
【発明の効果】
以上説明したように、本発明による穀粒乾燥機の穀粒の貯留部となる上箱は、そこに張込んだ穀物の量を、目視により確認するために、その上箱の前面側の機壁に上下に並列させて設けた覗き窓に対し、上箱の天板に組付けた投光器により、上箱の内部からその覗き窓の内側に向け光線を投射するようにしているのだから、乾燥すべき穀粒を、貯留部を形成している上箱内に張込んだときに、投光器の点灯により照射される投光が、張込んだ穀粒のレベルより上方に位置している覗き窓だけから、機体の前面側に洩れ出してくるようになって、それにより、張込容量に対する張込量が逆算して適確に判断できるようになる。
【図面の簡単な説明】
【図１】従前の穀粒乾燥機の全体の斜視図である。
【図２】同上の縦断正面図である。
【図３】同上の縦断側面図である。
【図４】本発明を実施せる穀粒乾燥機の全体の斜視図である。
【図５】同上の穀粒乾燥機の機体の上箱部の斜視図である。
【図６】同上の上箱部の要部の縦断面図である。
【符号の説明】
Ａ…穀粒乾燥機、ａ…折曲壁、ｂ…パネル、ｗ…機体、１…下箱、１０…集穀樋、１１…下部コンベア、２…中箱、２０…隔壁、２１…導風路、２２…流下路、２３…排風路、２４…熱風生成装置、２５…排風機、３…上箱，３ａ…単位上箱、３０…天板、３１…上部コンベア、４…昇降機、４０…放出筒部、４１…取出樋、５…制御盤（コントローラ）、５０…スイッチ、６…覗き窓、７…取付台、７０…窓穴、８…投光器、８０…フード、８１…電球。
【図１】
0004394777.tif 000002
【図２】
0004394777.tif 000003
【図３】
0004394777.tif 000004
【図４】
0004394777.tif 000005
【図５】
0004394777.tif 000006
【図６】
0004394777.tif 000007